(57)【要約】      （修正有）【課題】プリンタに設定されている設定供給路をユーザに意識させることなく記録処理を行わせることができ、操作性に優れた記録装置及び記録装置の制御方法を提供する。【解決手段】手差しによって用紙を供給する手差し供給路と、外部からの用紙供給指示に応じて自動的に用紙を供給する自動供給路と、を備え印刷指示に応じて手差し供給路あるいは自動供給路から供給された用紙に記録を行う記録装置の制御方法であって、手差し供給路によって供給された用紙を検出する検出ステップ（ステップＳ１２）と、検出ステップにおいて、用紙を検出すると、予め設定されている設定供給路を、自動供給路から手差し供給路へ設定する設定ステップ（ステップＳ１３）と、手差し供給路によって供給された用紙に記録する記録ステップ（ステップＳ１６）と、を有する。【選択図】図４
2007331125.tif 000002
【特許請求の範囲】
【請求項１】
手差しによって記録媒体を供給する手差し供給路と、
外部からの記録媒体供給指示に応じて自動的に記録媒体を供給する自動供給路とを備え、記録指示に応じて前記手差し供給路あるいは前記自動供給路から供給された前記記録媒体に記録を行う記録装置であって、
前記手差し供給路によって供給された記録媒体を検出する検出手段と、
前記記録媒体を検出すると、予め設定されている設定供給路を、前記自動供給路から前記手差し供給路へ設定する供給路設定部と、を有することを特徴とする記録装置。
【請求項２】
前記供給路設定部は、前記手差し供給路によって供給された前記記録媒体に対する記録が行われてから、前記設定供給路を前記手差し供給路から前記自動供給路へ設定することを特徴とする請求項１に記載の記録装置。
【請求項３】
前記供給路設定部は、リセット信号を受信すると、前記設定供給路を前記自動供給路に設定することを特徴とする請求項１または２に記載の記録装置。
【請求項４】
前記供給路設定部が、前記設定供給路を設定すると通信可能に接続されたホストコンピュータへ設定供給路ステータスを送信するステータス情報送信手段を有することを特徴とする請求項１〜３の何れかに記載の記録装置。
【請求項５】
手差しによって記録媒体を供給する手差し供給路と、
外部からの記録媒体供給指示に応じて自動的に記録媒体を供給する自動供給路と、を備え記録指示に応じて前記手差し供給路あるいは前記自動供給路から供給された前記記録媒体に記録を行う記録装置の制御方法であって、
前記手差し供給路によって供給された記録媒体を検出する検出ステップと、
前記検出ステップにおいて、前記記録媒体を検出すると、予め設定されている設定供給路を、前記自動供給路から前記手差し供給路へ設定する設定ステップと、
前記手差し供給路によって供給された記録媒体に記録する記録ステップと、を有することを特徴とする記録装置の制御方法。
【請求項６】
前記記録ステップの後、前記設定供給路を前記手差し供給路から前記自動供給路へ設定することを特徴とする請求項５に記載の記録装置の制御方法。
【請求項７】
リセット信号を受信すると、前記設定供給路を前記自動供給路に設定することを特徴とする請求項５または６に記載の記録装置の制御方法。
【請求項８】
前記設定供給路を設定すると通信可能に接続されたホストコンピュータへ設定供給路ステータスを送信することを特徴とする請求項５〜７の何れかに記載の記録装置の制御方法。
【発明の詳細な説明】
【技術分野】
【０００１】
本発明は、手差しによって記録媒体を供給する手差し供給路を備え、外部からの記録指示に応じて供給された記録媒体に対して記録を行う記録装置及び記録装置の制御方法に関する。
【背景技術】
【０００２】
プリンタや複写装置等の記録装置には、印刷媒体や複写媒体等の媒体処理部としての印刷ヘッドや複写機構へ搬送するための搬送経路が設けられている。一般に、搬送経路は複数設けられている場合が多く、ピックアップローラによって１枚ずつ自動的に媒体を供給し印刷ヘッドや複写機構へ搬送する自動搬送経路、記録装置の外部から手差しによって媒体を供給し搬送する手差し搬送経路、ロール紙を搬送するロール紙搬送経路等が知られている（特許文献１、２参照）。
【０００３】
ところで、手差し搬送経路を備えたプリンタには、手差しによってプリンタの後方から斜めに挿入された用紙に対して印刷を行うタイプのものがある。図５は、プリンタの後方から斜めに挿入された用紙Ｘに対して印刷を行うタイプのプリンタの搬送路を模式的に示した図である。図５のようなタイプのプリンタにおいては、手差しによって供給された用紙Ｘに印刷を行う場合は次のような処理を実行する。まず、ユーザが手差し給紙トレイ２００から用紙Ｘを挿入すると、用紙検出器２０１の下を用紙Ｘが通過し、搬送ローラ対２０２，２０３に用紙Ｘが接触した状態で止まる。この状態で、印刷データを受信するまで待機し、印刷データを受信すると用紙Ｘは印刷処理部２０４へ搬送され印刷処理が終了すると排出ローラ２０５，２０６，２０７，２０８によって図示せぬ排出トレイへ搬送されるように設定されている。つまり、印刷データを受信したときに手差し給紙トレイ２００に用紙Ｘが載置されていれば、用紙Ｘに対して印刷処理が実行されるようになっている。
【０００４】
【特許文献１】実開平５−４０２４２号公報
【特許文献２】特開２００３−１１２４５７号公報
【発明の開示】
【発明が解決しようとする課題】
【０００５】
しかしながら、上記のようなプリンタでは、ホストコンピュータ等から受信した印刷データが自動給経路によって供給された用紙に対して印刷するよう指示する場合には、手差し給紙トレイ２００に載置された用紙を排出し、プリンタの給紙経路設定を手差し給紙トレイから自動給紙経路へ変更しなければ、正しい用紙を供給することができない。つまり、ホストコンピュータのプリンタドライバ側で指定した給紙経路と、プリンタ側に実際に設定されている給紙経路とが一致しない場合は、プリンタ側の給紙経路を設定変更しなければ印刷を行うことができない。
【０００６】
このため、プリンタのユーザはプリンタドライバで指定した給紙経路と、プリンタに設定された給紙経路とを常に一致させることに注意を注がなければならず、煩わしい。この点、操作性に関して改良の余地があるところである。
【０００７】
そこで、本発明の目的は、手差しによって記録媒体を供給する手差し供給路と、外部からの記録媒体供給指示に応じて記録媒体を供給する指示待ち供給路と、を備えた記録装置において、プリンタに設定されている設定供給路をユーザに意識させることなく記録処理を行わせることができ、操作性に優れた記録装置及び記録装置の制御方法を提供することにある。
【課題を解決するための手段】
【０００８】
本発明は、以下の構成により達成される。
（１）  手差しによって記録媒体を供給する手差し供給路と、
外部からの記録媒体供給指示に応じて自動的に記録媒体を供給する自動供給路とを備え、記録指示に応じて前記手差し供給路あるいは前記自動供給路から供給された前記記録媒体に記録を行う記録装置であって、
前記手差し供給路によって供給された記録媒体を検出する検出手段と、
前記記録媒体を検出すると、予め設定されている設定供給路を、前記自動供給路から前記手差し供給路へ設定する供給路設定部と、を有することを特徴とする記録装置。
（２）  前記供給路設定部は、前記手差し供給路によって供給された前記記録媒体に対する記録が行われてから、前記設定供給路を前記手差し供給路から前記自動供給路へ設定することを特徴とする（１）に記載の記録装置。
（３）  前記供給路設定部は、リセット信号を受信すると、前記設定供給路を前記自動供給路に設定することを特徴とする（１）または（２）に記載の記録装置。
（４）  前記供給路設定部が、前記設定供給路を設定すると通信可能に接続されたホストコンピュータへ設定供給路ステータスを送信するステータス情報送信手段を有することを特徴とする（１）〜（３）の何れかに記載の記録装置。
（５）  手差しによって記録媒体を供給する手差し供給路と、
外部からの記録媒体供給指示に応じて自動的に記録媒体を供給する自動供給路と、を備え記録指示に応じて前記手差し供給路あるいは前記自動供給路から供給された前記記録媒体に記録を行う記録装置の制御方法であって、
前記手差し供給路によって供給された記録媒体を検出する検出ステップと、
前記検出ステップにおいて、前記記録媒体を検出すると、予め設定されている設定供給路を、前記自動供給路から前記手差し供給路へ設定する設定ステップと、
前記手差し供給路によって供給された記録媒体に記録する記録ステップと、を有することを特徴とする記録装置の制御方法。
（６）  前記記録ステップの後、前記設定供給路を前記手差し供給路から前記自動供給路へ設定することを特徴とする（５）に記載の記録装置の制御方法。
（７）  リセット信号を受信すると、前記設定供給路を前記自動供給路に設定することを特徴とする（５）または（６）に記載の記録装置の制御方法。
（８）  前記設定供給路を設定すると通信可能に接続されたホストコンピュータへ設定供給路ステータスを送信することを特徴とする（５）〜（７）の何れかに記載の記録装置の制御方法。
【発明の効果】
【０００９】
本発明の記録装置及び記録装置の制御方法によれば、手差し供給路によって供給された記録媒体を検出すると、予め設定されている設定供給路を、自動供給路から手差し供給路へ設定するように構成されている。すなわち、プリンタに予め設定された設定供給路が自動供給路であって、実際に記録媒体が供給された手差し供給路と一致していない場合でも、自動的に設定供給路を手差し供給路へ設定変更することができる。したがって、一時的に設定供給路と実際に供給された供給路が一致していなかった場合でも、設定供給路を意識することなく記録処理の指示を与えることができ、操作性に優れた記録装置及び記録装置の制御方法を提供することが可能となる。
【００１０】
また、本発明の記録装置及び記録装置の制御方法によれば、設定供給路を自動的に手差し供給路に変更しても、再度、手差し供給路から自動供給路へ設定することができるので、記録媒体が検出されない場合には、自動供給路によって供給された記録媒体に対する記録処理を実行することが可能である。つまり、原則は、設定供給路は自動供給路に設定しておき、記録データを受信して、記録媒体を検出すると、検出された記録媒体は手差し供給路によって供給された記録媒体であると認識して、自動的に設定供給路を手差し供給路に設定変更し、手差し供給路によって供給された記録媒体に対する記録処理が終了すると、設定供給路を元の自動供給路へ自動的に設定し直すので、ユーザは設定供給路の再設定を行う必要がなくなる。
【００１１】
また、本発明の記録装置及び記録装置の制御方法によれば、リセット信号を受信すると、設定供給路を自動供給路に設定するように構成されているので、紙詰まりやエラーが発生してリセット処理が実行されても、自動的に設定供給路を自動供給路へ設定することができる。すなわち、リセット処理が必要となる事態が生じた場合でも、自動的に設定供給路を自動供給路に設定しデフォルトの設定供給路を自動供給路とすることができる。
【００１２】
また、本発明の記録装置及び記録装置の制御方法によれば、設定供給路を設定すると通信可能に接続されたホストコンピュータへ設定供給路ステータスを送信するので、そのときに設定されている設定供給路を、記録装置からホストコンピュータへ通知することができる。したがって、設定供給路ステータスを受信したホストコンピュータのプリンタドライバ側では、通知された供給路を記録処理における設定供給路とすることができ、記録装置とホストコンピュータとの間で設定供給路を互いに一致させることが可能となる。
【発明を実施するための最良の形態】
【００１３】
以下、本発明に係る記録装置及び記録装置の制御方法の実施形態について、図面を参照しつつ詳細に説明する。
図１は本発明に係る記録装置の一実施の形態であるインクジェット式プリンタの外観斜視図、図２は図１に示したプリンタ内部の用紙搬送経路の概略構成を示す縦断面図、図３はプリンタの制御系を示した機能ブロック図である。
【００１４】
（プリンタの機械的構成）
本発明に係る記録装置の一実施の形態であるプリンタ１は、フロント給・排紙タイプの業務用のインクジェット式プリンタであり、図１に示すように、下部ケース２と上部ケース３とから構成される装置ケース４の前面中央に、記録媒体である用紙を装填した媒体収容部である略箱形の用紙カセット５が着脱自在に挿着されている。
【００１５】
また、用紙カセット５の上面開放部を覆うように、印刷が終了した用紙を受ける排紙トレイ６が設けられている。また、装置ケース４の前面の両側には、動作状態を表示する表示部７や操作部８が設けられている。さらに、操作部８の近傍にはフィードボタン１０が設けられており、紙ジャム等によってプリンタ１の内の用紙搬送路に紙詰まりが生じ、詰まった用紙を一度取り除いた場合でも、このフィードボタン１０を押すことによって用紙カセット５から強制的に搬送路内に用紙を繰り出すことができるようになっている。
【００１６】
装置ケース４内には、図２に示すように、円弧状供給路Ａ及びこの円弧状供給路Ａから排紙トレイ６へ繋がる直線状搬送経路Ｂを形成する紙搬送装置１１を備えており、用紙カセット５と円弧状供給路Ａと直線状搬送経路Ｂと排紙トレイ６とによって、用紙カセット５から繰り出された用紙Ｐを処理した後に前面の排紙トレイ６に戻すＵ字状搬送経路が形成されている。
【００１７】
紙搬送装置１１は、ＡＳＦ（オートシートフィーダ）部とＰＦ（ペーパフィーダ）部とを有している。
ＡＳＦ部は、用紙カセット５に収容されている用紙Ｐを一枚ずつ装置後方に繰り出す用紙繰り出し機構２２と、この用紙繰り出し機構２２が繰り出した用紙Ｐを円弧状供給路Ａに沿って搬送する円弧状搬送部を形成する中間ローラ３１及びガイド部３４等から構成されている。
ＰＦ部は、円弧状搬送部から搬送されてきた用紙Ｐを挟持して印刷処理部４３のプラテン面上に送る第１搬送手段と、印刷処理部４３を通過した用紙Ｐをその下流の排紙トレイ６に挟持して搬送する第２搬送手段５５とを備えている。
【００１８】
ＡＳＦ部の用紙繰り出し機構２２は、図２に示したように、先端に繰り出し用のピックアップローラ２１を備えたフレーム２５の後端が支持ピン２４によって図中上下方向に回動可能に構成されている。この用紙繰り出し機構２２は、フレーム２５の上下方向の揺動により、用紙Ｐカセット５内の最上部の用紙Ｐに対してピックアップローラ２１を接触させることが可能である。用紙繰り出し機構２２は、当該プリンタ１の休止時には図２に実線で示すようにフレーム２５が水平に維持されて、ピックアップローラ２１が用紙Ｐカセット５上の用紙Ｐから離れた状態に保たれる。
【００１９】
そして、給紙時には、支持ピン２４を中心とするフレーム２５の下方への回動によって、図２に二点鎖線で示すように、ピックアップローラ２１が用紙カセット５上の用紙Ｐに押し付けられ、ピックアップローラ２１の回転によって用紙カセット５上の用紙Ｐが傾斜した摩擦パッド２３に当接して、その摩擦力と用紙Ｐのこしの強さによって分離されながら、一枚ずつ中間ローラ３１とガイド部３４の間に繰り出される。給紙が済んで、印刷処理部４３によって印刷が開始される時には、図２に実線で示したように、フレーム２５は元の水平状態に戻される。
【００２０】
円弧状供給路Ａは、図２に示すように、円弧状供給路Ａの外側（プリンタ１の背面側）に設けられ略円弧状に湾曲したガイド面を有するガイド部３４と、円弧状供給路Ａの内側（プリンタ１の前面側）に設けられガイド部３４の下方から上方に向かって用紙Ｐを送る中間ローラ３１とを備えた構成である。また、ガイド部３４には、下方側に設けられたリタードローラ３２と、上方側に配置されたアシストローラ３３とが設けられている。そして、ピックアップローラ２１によって送り出された用紙Ｐは、中間ローラ３１とリタードローラ３２とによって挟持されて搬送され、さらに中間ローラ３１とアシストローラ３３とによって挟持されて搬送される。これにより、用紙Ｐは、中間ローラ３１とガイド部３４との間隙として形成された円弧状供給路Ａに沿って搬送され、その先端部がプリンタ前面側に向けられてＵ字状搬送経路を構成する直線状搬送経路Ｂに送り出される。
【００２１】
また、中間ローラ３１の上方には、補助ガイド部材３５を備えている。この補助ガイド部材３５は、ガイド部３４に対して後端側が回動可能に支持され、先端側が移動されるようになっている。この補助ガイド部材３５は、円弧状供給路Ａから直線状搬送経路Ｂへ搬送される用紙Ｐを、その上方側から自重により押さえて、用紙Ｐを直線状搬送経路Ｂに沿ってプリンタ１の前方側に案内する。
【００２２】
ＰＦ部の第１搬送手段は、図２に示したように、紙送りローラ対４１，４２により構成されている。紙送りローラ対４１，４２は、円弧状供給路Ａの出口端（ガイド部３４の下流側端部）から装置前面側に所定距離離れた位置に設けられており、円弧状供給路Ａから直線状搬送経路Ｂに送り出されてきた用紙Ｐを挟持して印刷位置である印刷処理部４３の下に搬送する。そして、回転駆動量を制御することにより、用紙Ｐを印刷処理部４３に対して位置決めすることが可能である。
【００２３】
さらに、プリンタ１は、装置ケース４の後方側における上部に、後方給紙部３０を備えており、この後方給紙部３０によって後方側からの手差し給紙が可能とされている。この後方給紙部３０は、円弧状供給路Ａとは別の手差し供給路Ｃから給紙されてきた用紙を直線状搬送経路Ｂへ送り込むものである。後方給紙部３０から手差し給紙を行うと、その用紙Ｐ１の先端は、紙送りローラ対４１，４２に接触する位置まで到達する。
【００２４】
このように、本実施形態のプリンタ１は、用紙カセット５からＡＳＦ部によって一枚ずつ自動供給された用紙Ｐを円弧状供給路Ａから直線状搬送経路Ｂへ搬送する自動搬送経路と、後方給紙部３０から一枚ずつ手差し給紙によって手差し供給路Ｃから直線状搬送経路Ｂへ搬送する手差し搬送経路との２つの搬送経路を備えた構成となっている。すなわち、直線状搬送経路Ｂは自動搬送経路と手差し搬送経路とで共通の搬送経路として構成されている。
【００２５】
そして、円弧状供給路Ａ及び手差し供給路Ｃの出口端、つまり直線状搬送経路Ｂの入口端には、用紙の有無を検出する媒体検出器としての用紙検出器（以下、ＰＥ検出器という。）６２が設けられている。また、ＰＥ検出器６２は、直線状搬送経路Ｂ内であって手差し供給路Ｃから供給された用紙を検出可能な位置に配置されている。
【００２６】
このように円弧状供給路Ａと手差し供給路ＣとでＰＥ検出器６２を兼用することによって、それぞれの経路ごとに専用の検出器を設ける必要がないので、プリンタ１の部品点数を減らしコストを下げることができるとともに、プリンタ１の省スペース設計が可能である。
【００２７】
処理部としての印刷処理部４３は、印刷ヘッド４４を有するキャリッジ４５を備えており、このキャリッジ４５は、送り込まれた用紙Ｐあるいは用紙Ｐ１に対してその幅方向へ移動可能に支持されている。この印刷ヘッド４４は、図２に示すように、用紙に向かってインク滴を吐出させる吐出ノズル４６を有しており、この吐出ノズル４６に対して、プリンタ１の前方側には、用紙を検出するとともに、その幅を検出する用紙幅検出器（以下、ＰＷ検出器という。）４７が設けられている。
【００２８】
（プリンタ１の内部構成）
プリンタ１は、図示せぬＣＰＵがフラッシュＲＯＭに記憶されたファームウェアを実行しながら、通信インタフェースを介して接続されたホストコンピュータと通信を行うことにより印刷データを受信する。そして、印刷処理部４３が各種コマンドや印刷データに基づき、紙搬送装置１１を介して用紙Ｐや後方給紙部３０から手差しによって給紙された用紙Ｐ１を搬送しつつ印刷ヘッド４４を駆動して印刷を実行し、排紙トレイ６へ排出させる。なお、本実施形態ではホストコンピュータから送信された処理データに基づき印刷を行うように構成されているが、プリンタ１に直接入力された処理データに基づき印刷を行うように構成することも可能である。例えば、処理データが記憶された外部記憶媒体を直接プリンタ１に接続して処理データを入力するものであってもよい。
【００２９】
次に、図３を参照してプリンタ１の制御系が行う内部処理について説明する。図３は、プリンタ１の制御系を示した機能ブロック図である。
図３に示すように、プリンタ１内には、ホストコンピュータ１００から送信される処理データに含まれる各種コマンドやデータを受信したり、各種コマンドに応じた応答をホストコンピュータ１００へ送信する送受信部８６が設けられている。送受信部８６が受信した各種コマンドやデータは、コマンド解析部８８によって解析され、印刷データの場合には、データ変換されて、イメージ展開部によって印刷ヘッド４４のノズル列に対応したドットパターンデータが生成される。また、制御コマンドの場合は後述する状態管理部９０によって読み出されて、制御コマンドに応じた処理が実行される。
【００３０】
状態管理部９０は、制御コマンドを読み出し、各種制御コマンドに応じた処理を行う。例えば、動作処理部９１へ指示を出し、検出器処理部９２を介して受信したＰＥ検出器６２からの検出信号を解析する。また、動作処理部９１を介して、印刷処理部４３、ＡＳＦ部やＰＦ部等のプリンタ１の各種機構部の駆動を制御する。
【００３１】
検出器処理部９２は、状態管理部９０からの指示に応じてＰＥ検出器６２、ＰＷ検出器の動作を制御し、検出信号を動作処理部９１を介して状態管理部９０へ通知する。動作処理部９１は、状態管理部９０のからの指示に応じて各種機構部に動作指示を行う。
【００３２】
供給路設定部９４は、ホストコンピュータ１００のプリンタドライバ１０１で設定した供給路設定指示に基づき、プリンタ１の設定供給路を設定する。具体的には、ユーザからプリンタドライバ１０１を介して、用紙供給路を円弧状供給路Ａ（以下、「自動供給路」という）から手差し供給路Ｃへ変更する設定変更指示を受信すると、供給路設定部９４はプリンタ１の設定供給路を手差し供給路へ設定する。本実施形態では、ホストコンピュータ１００から送信される設定変更指示のほかに、所定のタイミングで設定供給路を変更するように構成されている。供給路の設定変更処理については後ほど説明する。
【００３３】
ステータス情報送信部９３は、供給路設定部９４を定期的に監視し、設定供給路に変更があった場合や（設定値に変更があった場合）、プリンタ１がエラー状態に陥った場合等、プリンタ１のステータスに変化があった場合に定期あるいは不定期に、プリンタ１のステータス情報をホストコンピュータ１００へ送信する。
【００３４】
（プリンタ１の設定供給路変更処理について）
次に、プリンタ１で行われる供給路設定変更処理ついて説明する。図４はプリンタ１が行う供給路設定変更処理を説明するフローチャートである。なお、本実施形態のプリンタ１は、ユーザが後方給紙部３０から用紙Ｐ１を挿入すると、用紙Ｐ１はＰＥ検出器６２の下を通過し、図２に示すように紙送りローラ対４１，４２に用紙Ｐ１の端部が接触した状態で止まるように設定されている。したがって、ホストコンピュータ１００から印刷データを受信して、ＰＥ検出器６２が用紙有りを検出した場合には、原則として検出された用紙は後方給紙部３０、すなわち手差し給紙経路Ｃから供給された用紙Ｐ１であると認識する。また、プリンタ１の供給路設定部９４は、設定供給路をデフォルトで自動供給路と設定している。
【００３５】
プリンタ１は、ホストコンピュータ１００から各種コマンド及び印刷データ等を含むデータを受信すると（ステップＳ１１：Ｙｅｓ）、検出器処理部９２がＰＥ検出器６２によって用紙が検出されたかを監視する。ＰＥ検出器６２によって用紙が検出されると（ステップＳ１２：Ｙｅｓ）、状態管理部９０は、検出された用紙が手差し給紙路Ｃから供給された用紙Ｐ１であると認識し、供給路設定部９４は、デフォルトの設定供給路「自動供給路」を「手差し供給路Ｃ」へ変更する（ステップＳ１３）。
【００３６】
供給路設定部９４を監視していたステータス情報送信部９３は、設定供給路に設定変更があったことをホストコンピュータ１００へ通知するため、プリンタ１のステータス情報を送信する（ステップＳ１４）。そして、状態管理部９０は、動作処理部９１を介してＰＦ部、印刷処理部４３を駆動させ、供給された用紙Ｐ１が印刷処理部４３へ搬送され、搬送された用紙Ｐ１に対して印刷処理が実行される（ステップＳ１５，ステップＳ１６）。
【００３７】
状態管理部９０が、印刷処理部４３による印刷処理が終了したことを認識すると、供給路設定部９４は設定供給路を「手差し供給路Ｃ」から「自動供給路」へ変更し、プリンタ１のデフォルトの値へ戻す（ステップＳ１７）。再び、ステータス情報送信部９３はデフォルトの値へ設定供給路が変更されたことをホストコンピュータ１００へ再び通知するためステータス情報を送信する（ステップＳ１８）。
【００３８】
一方、ステップＳ１２で、ＰＥ検出器６２によって用紙が検出されなかった場合には（ステップＳ１２：Ｎｏ）、状態管理部９０は動作処理部９１を介して、自動供給路から用紙Ｐを供給させ、供給された用紙Ｐを印刷処理部４３へ搬送し、印刷処理を実行する（ステップＳ１９，ステップＳ２０）。
【００３９】
このように、本実施形態のプリンタ１において、印刷データを受信してからＰＥ検出器６２によって用紙が検出されたときは、ユーザによって後方給紙部３０に用紙Ｐ１が供給されたと考えられる。つまり、ユーザは手差し印刷を実行したいために、後方給紙部３０へ用紙Ｐ１をセットしたと考えることができる。したがって、予めユーザはプリンタドライバ１０１を介して、設定供給路のデフォルトの値「自動供給路」を「手差し供給路Ｃ」に変更するよう設定変更指示を与えてやる必要がある。しかし、本実施形態では、印刷データ受信後、用紙の検出をトリガーとして、プリンタ１の設定供給路を自動的に「手差し供給路」へ設定変更するように設定されているので、プリンタドライバ１０１を介して送信された供給路指示（自動供給路）と実際に供給された供給路（手差し供給路）とが一致していなかった場合でも、プリンタ１の設定供給路を強制的に変更して、正しい印刷処理を実行することができる。したがって、ユーザはその時点でプリンタドライバ１０１で指定されている供給経路、あるいはプリンタ１に有効に設定されている設定供給路を意識することなく、単純に印刷指示を与えるだけで正しい印刷処理が行われるので、操作性に優れたプリンタ１を提供することが可能となる。
【００４０】
また、本実施形態のプリンタ１において、ステータス情報送信部９３は、供給路設定部９４によってプリンタ１の設定供給路が設定変更される毎に、ホストコンピュータ１００に対してステータス情報を送信し、設定変更を通知するので、ステータス情報を受信したホストコンピュータ１００のプリンタドライバ１０１側では、通知された供給路を印刷処理における指定供給路とすることができ、プリンタ１とホストコンピュータとの間で設定供給路を互いに一致させることが可能となる。
【００４１】
また、本実施形態のプリンタ１は、リセット信号を受信すると、供給路設定部９４が設定供給路を「自動供給路」に設定することも可能である。このように設定しておけば、リセット処理が実行されると必ずプリンタ１の設定供給路は「自動供給路」に設定されるので、リセット処理が必要となる事態が生じた場合でも、デフォルトの設定供給路を自動供給路として、復帰後に図４に示す処理を実行することも可能となる。
【図面の簡単な説明】
【００４２】
【図１】本発明に係る記録装置の一実施形態であるインクジェット式プリンタの外観斜視図である。
【図２】本実施形態のプリンタ内部の用紙搬送経路の概略構成を示す縦断面図である。
【図３】本実施形態のプリンタの内部処理を示した機能ブロック図である。
【図４】本実施形態のプリンタが行う設定供給路変更処理を説明するフローチャートである。
【図５】後方から斜めに挿入された用紙に対して印刷を行う従来のプリンタの搬送路を模式的に示した図である。
【符号の説明】
【００４３】
１：プリンタ（記録装置）、５：用紙カセット、６２：ＰＥ検出器、９０：状態管理部、９２：検出器処理部、９３：ステータス情報送信部、９４：供給路設定部、Ｐ，Ｐ１：用紙（記録媒体）
【図１】
2007331125.tif 000003
【図２】
2007331125.tif 000004
【図３】
2007331125.tif 000005
【図４】
2007331125.tif 000006
【図５】
2007331125.tif 000007